Podtech/llm-jp-corpus-v4-ja_patent huggingface dataset:
(57)【要約】【課題】本発明は、樹脂からなる素体を有するインダクタンス部品において、そのコイル巻回平面からの応力に対する信頼性を高めることを目的とする。【解決手段】そしてこの目的を達成するために本発明は、樹脂からなる素体４と、この素体４内に形成されたコイル５と、このコイル５に電気的に接続されるとともに素体４の外側面を掴み込むコの字形状の端子６とを備え、コの字内部には補強用導体７を設けたインダクタンス部品としたものである。【選択図】図１
2007317910.tif 000002
【特許請求の範囲】
【請求項１】
樹脂からなる素体と、
この素体内に形成されたコイルと、
このコイルに電気的に接続されるとともに
前記素体の外側面を掴み込むコの字形状の端子とを備え、
前記素体内の、コの字形状の端子内部には、補強用導体を設けたインダクタンス部品。
【請求項２】
補強用導体と端子とを電気的に接続させた請求項１に記載のインダクタンス部品。
【請求項３】
補強用導体はコイルの上面、下面、同一平面の少なくとも一面に配置した請求項１、または２に記載のインダクタンス部品。
【発明の詳細な説明】
【技術分野】
【０００１】
本発明は、例えば携帯電話の電源回路に用いられるインダクタンス部品に関するものである。
【背景技術】
【０００２】
従来、この種のインダクタンス部品は、図３に示すごとく、樹脂からなるシート状の素体１内にはうずまき状のコイル２が形成され、このコイル２には素体１の外側面を掴み込むコの字形状の端子３が電気的に接続されて構成されていた。
【０００３】
なお、この出願の発明に関する先行技術文献情報としては、例えば、特許文献１が知られている。
【特許文献１】特開２００３−２０３８１３号公報
【発明の開示】
【発明が解決しようとする課題】
【０００４】
このような従来のインダクタンス部品はコイル巻回平面からの応力に対する信頼性が低いことが問題となっていた。
【０００５】
すなわち、上記従来の構成においては、素体１を樹脂により形成していたため、コイル２巻回平面方向に力が加わると、素体１が撓み、この撓みにより素体１を掴み込む端子３が外れてしまうため、信頼性が低くなってしまっていた。
【０００６】
そこで本発明は、樹脂からなる素体を有するインダクタンス部品において、そのコイル巻回平面からの応力に対する信頼性を高めることを目的とする。
【課題を解決するための手段】
【０００７】
そして、この目的を達成するために本発明は、樹脂からなる素体と、この素体内に形成されたコイルと、このコイルに電気的に接続されるとともに前記素体の外側面を掴み込むコの字形状の端子とを備え、前記素体内のコの字形状の端子内部には補強用導体を設けたインダクタンス部品としたものである。
【発明の効果】
【０００８】
本発明のインダクタンス部品は、コの字形状の端子内部において、補強用導体を設けることにより、コの字形状の端子が掴み込む素体１内において撓みが起こる可能性を低減することができ、その結果としてコの字形状の端子が素体から外れてしまう可能性を低減することができ、コイル巻回平面からの応力に対する信頼性を高めることができる。
【発明を実施するための最良の形態】
【０００９】
（実施の形態１）
以下、本発明の実施の形態１におけるインダクタンス部品について図面を参照しながら説明する。
【００１０】
図１に示すごとく、樹脂からなるシート状の素体４内にはうずまき状のコイル５を形成し、このコイル５の両端には素体４の外側面を掴み込むコの字形状の端子６を電気的に接続させてインダクタンス部品を構成している。
【００１１】
そして、コイル５の下方には補強用導体７を素体４内に形成している。ここで、補強用導体７はコイル５の下面に並走させるとともに、コの字形状の端子６内部にまで形成される構成としている。なお補強用導体７はコイル５の上面でも、コイル５と同一平面でも設置できる。
【００１２】
ここで端子６は図２に示すような形状としている。即ち、素体４の外側面を掴み込むようなコの字形状とするとともに、素体４に埋め込まれる突起６Ａを複数有する構成としている。このような突起６Ａを複数設ける構成とすることにより、素体４と端子６との密着性を向上させている。
【００１３】
次に、補強用導体７の具体的な構成について説明する。
【００１４】
図２に示すごとく、補強用導体７は一方の端子６から他方の端子６のコの字形状内部にまで伸びる構成としている。
【００１５】
端子６のコの字形状内部に補強用導体７を設けることにより、この端子６に掴み込まれた素体の撓む量を低減することができるため、コイル巻回平面からの応力に対する信頼性を高めることができる。
【００１６】
また、端子６と補強用導体７とを接続することにより、両者に実質的な電位差が発生せず望ましい。
【産業上の利用可能性】
【００１７】
本発明のインダクタンス部品は、コイル巻回平面からの応力に対する信頼性を高めることができるという特徴を有し、携帯電話等の各種電気機器において有用である。
【図面の簡単な説明】
【００１８】
【図１】本発明の実施の形態１におけるインダクタンス部品の内部構造を示す斜視図
【図２】本発明の実施の形態１におけるインダクタンス部品の補強用導体の構成を示す上面図
【図３】従来のインダクタンス部品の内部構造を示す斜視図
【符号の説明】
【００１９】
４  素体
５  コイル
６  端子
７  補強用導体
【図１】
2007317910.tif 000003
【図２】
2007317910.tif 000004
【図３】
2007317910.tif 000005
(57)【要約】【課題】  ノートパソコン用マウスパッドをノートパソコンに装着した際にしっかりとガタツキ等が無い状態を確保出来ること，又，種々の厚み，形状のノートパソコンに対してもワンタッチで装着可能なこと。【解決手段】  アルミ板製のマウスパッドの裏面に塩ビ製の伸縮式ジャバラ２点支持型フック機構３を配置し，ノートパソコン本体の右手前角を上下より挟み込んで装着する方式とした。又，ノートパソコンへの装着時にはマウスパッド裏面の伸縮式フックの調節レバー４により，ノートパソコンの本体の厚みに応じてジャバラ２を伸縮させて装着する。伸縮部は塩ビ板製のジャバラ構造２の２箇所による支持で，ノートパソコンの右手前と右横に当たる位置のマウスパッド裏面に配置され，両方のジャバラより伸びる，ノートパソコン本体の裏面に当たる，下面よりの挟み込み板３は一枚物となって，緩衝用ゴム材５との間でノートパソコン本体の右手前角を上下より挟み込んで装着することを特徴としている。【選択図】図１
2007317151.tif 000002
【特許請求の範囲】
【請求項１】
ノートパソコンの右手前部分を上下より挟み込んで装着する方式を採用した事を特徴とするノートパソコン用簡易取り付け型マウスパッド。
【請求項２】
前記マウスパッドをノートパソコンに装着する際，ノートパソコンの右手前と右横の２箇所を支持点とするフック構造を採用した事を特徴とするノートパソコン用簡易取り付け型マウスパッド。
【請求項３】
前記フック構造に，伸縮式ジャバラ機構を採用して，ノートパソコンの本体厚みに応じて，フックを伸縮させて装着する方法を採用した事を特徴とするノートパソコン用簡易取り付け型マウスパッド。
【請求項４】
前記フックを伸縮させる際，ジャバラ構造を伸縮させる，操作レバーを取り付けた事を特徴とするノートパソコン用簡易取り付け型マウスパッド。
【発明の詳細な説明】
【技術分野】
【０００１】  本発明は，ノートパソコン使用時におけるノートパソコン本体取り付け型マウスパッドに関する。
【背景技術】
【０００２】  従来，ノートパソコンにおいては標準仕様である本体組み込み型のマウス機能が装備されている事もあり，外付けマウスについては重要視されておらず，その使用場所がデスク上等に限らないノートパソコンにおいては，本体取り付け型のマウス操作架台が必要とされるが，その様な製品は見当たらない。【０００３】  現状，ノートパソコンに標準装備されているマウス機能では，パソコン画面における範囲指定操作には両手を必要とし，又，画面上のクリック操作等においても無駄な動作が発生する為，作業の効率の低下が発生している。【０００４】  なお，本願発明に関する公知技術として次の特許文献１〜３を挙げることができる。【０００５】
【特許文献１】  特開２００１−２４３０１４号公報
【特許文献２】  特開２００２−２２２０５０号公報
【特許文献３】  特開２００４−２６５３６５号公報
【発明の開示】
【発明が解決しようとする課題】
【０００６】  上述の如く，従来のノートパソコン標準装備のマウス機能は操作性や作業効率を度外視し，ノートパソコンへの組み込みという点のみを重視したものであり，ノートパソコンをデスク上で外付けマウスを取り付けて使用するならいざ知らず，ノートパソコンの性格上，デスク以外で使用する場合の操作性や作業効率の確保は難しい。【０００７】  このため，現状ではノートパソコンをデスク以外で使用する場合は，外付けマウスを書籍等を架台にした上で操作して，不便を感じながらも我慢しているのが実態である。【０００８】  本発明は，このような点に鑑みて成されたものであり，その目的は，ノートパソコンに簡単に取り付けられるマウスパッドを作成することにより，どのような使用場所においてもマウスの使用が可能となり，操作性や作業効率の改善をはかることができるようにすることにある。
【課題を解決するための手段】
【０００９】  上述の目的を達成する本発明の構造は，アルミ板製のマウスパッドの裏面に塩ビ製の伸縮式ジャバラ２点支持型フック機構を配置し，ノートパソコン右手前角を上下より挟み込んで装着する構造としたことを特徴とする。【００１０】  ノートパソコンへの装着時にはマウスパッド裏面の伸縮式フックの伸縮調節レバーにより，ノートパソコンの本体の厚みに応じて伸縮させて装着する。伸縮部は塩ビ板製のジャバラ構造の２箇所による支持で，ノートパソコンの右手前と右横に当たる位置のマウスパッド裏面に配置され，両方のジャバラより伸びるノートパソコン裏面に当たる下面よりの挟み込み板は一枚物としてマウスパッド装着時の下板となっている。
【発明の効果】
【００１１】  以上説明したように本発明によれば，アルミ板製マウスパッドの裏面に塩ビ製のジャバラ２点支持の伸縮式フックを取り付け，又，伸縮部の調節レバーを取り付けたことにより様々な厚みのノートパソコンにワンタッチで装着できるようになり，あらゆる場所におけるノートパソコンのマウス使用に対応できることとなり，作業効率の大幅な向上が期待できる。【００１２】  以下，本発明の実施の形態を図面に基づき詳細に説明する。【００１３】  図１〜図５の本発明の第一の実施の形態に係り，図１はその裏面よりの外観図，図２はそれをノートパソコンへ取り付けた時の図，図３はノートパソコンへの取り付け時の側面裏よりの図，図４は本発明の側面よりの図，図５は本発明の裏面よりの図である。【００１４】  図１の様に，マウスパッド１の裏面の構造は，塩ビ製の２点支持式ジャバラ２の伸縮型フック３となっており，ノートパソコンへの装着時に使用する伸縮調整レバー４を取り付けたものとなっている。【００１５】  図２，図３に示すように，ノートパソコンへの装着時は，ノートパソコンの右手前部分を，伸縮調整レバー４を操作してジャバラ２を伸状態にし，フック３の位置調節をして，１と３の間隔を調節して，ノートパソコン本体５を挟んで装着する。【００１６】  図４，図５はそれぞれ側面，裏面よりの構造を示すものである。
【産業上の利用可能性】
【００１７】  本発明はノートパソコン用のマウスパッドとして，携帯する場合も含めて幅広く利用されることを目的として，製造，販売される可能性がある。
【図面の簡単な説明】
【００１８】
【図１】  本発明の第一の実施の形態に係るノートパソコン用マウスパッドの裏面よりの外観図である。
【図２】  図１のノートパソコン用マウスパッドをノートパソコンへ取り付けた時の外観図です。
【図３】  図１のノートパソコン用マウスパッドをノートパソコンへ装着した時の裏側面よりの外観図です。
【図４】  図１のノートパソコン用マウスパッドの側面図です。
【図５】  図１のノートパソコン用マウスパッドの裏面図です。
【符号の説明】
【００１９】  １            マウスパッド
２            ２点支持型ジャバラ
３            伸縮式フック
４            伸縮調節レバー
５            緩衝用ゴム材
６            ノートパソコン本体
【図１】
2007317151.tif 000003
【図２】
2007317151.tif 000004
【図３】
2007317151.tif 000005
【図４】
2007317151.tif 000006
【図５】
2007317151.tif 000007
(57)【要約】      （修正有）【課題】営業活動を支援するための営業サイトを提供する。【解決手段】集客営業サイトを作り、インターネット上でさまざまな情報を提供する事によって、客、従業員、店舗側がリアルタイムで情報交換でき、営業をする事によって双方に信頼関係ができ、合意のもとで店へ足を運ぶ動機付けとなりそれぞれメリットが生まれる。【選択図】  図１
2007317153.tif 000002
【特許請求の範囲】
【請求項１】
店舗等よりインターネットを利用したライブ配信・チャット配信等で  顧客とのリアルタイム営業行為が出来る。  集客・売り上げ向上・宣伝・来客情報・人件費削減等の効果を目的、特徴とするシステムの運営管理。
【請求項２】
前記システムを使用する事によって低集客時等に利用出来、店でただ待っているのではなく効率良く  顧客側、店舗側とが結びつき営業活動が出来るシステム。
【請求項３】
前記システムを使用する事によって今までにない遠方への集客活動も容易となる。
【請求項４】
前記システムを顧客が利用する事によって、興味から関心へと変わり、行動へと変わる一連の流れを作り易くする。
【請求項５】
前記システムを運営する事によって店舖側、顧客側、システム運営側にそれぞれ利便が発生する。
【発明の詳細な説明】
【技術分野】
【０００１】本発明は  集客率の低い場合等に使用する  人件費削減・集客率、売り上げ向上等を目的としたホームページを利用した営業システム。
【背景技術】
【０００２】従来は、店の中からのライブ配信  チャット配信等を利用し、顧客を紹介する営業システムサイトは無く  効率良く営業活動を出来るサイトは無かった。【０００３】
【特許文献１】  特になし
【発明の開示】
【発明が解決しようとする課題】
【０００４】店舖側では店の外へ出て従業員が営業活動をしていた事が効率悪く人件費も多くかかり集客率も低いという難点があった。顧客側では興味があるが行動へと変わらない。本発明は、これらの課題を解消するために作られたもの。
【課題を解決するための手段】
【０００５】集客できるホームページを作り、客がそのサイトにアクセスし加盟店側を紹介して互いが画像、文字、音声等を通し、リアルタイムでの営業活動が出来るシステム。
【発明の効果】
【０００６】集客率の低い日等に従業員は接客をせずに、ただ待っているのでは無くサイトを利用した営業活動が出来、集客率・売り上げ向上、人件費削減、ができ  客、店側が納得、合意のもとでの効率の良い営業活動ができる。
【図面の簡単な説明】
【０００７】例１００営業集客サイトで２０１〜２０４各加盟店舖情報等をライブ配信で紹介し、これらを３０９〜３１４各顧客や３０１〜３０８各顧客からも１００営業サイトを知る事ができ、そこから２０１〜２０４各店舗の営業従業員にアクセス出来る。さらにライブ画像、音声、文字等を使い双方がリアルタイムで情報交換する事によって、興味から関心を持ち納得、合意のもとで行動へと変わり一連の流れが出来店舖へ出かける要因となる。
【図１】本発明の略図である。
【符号の説明】
【０００８】
2007317153.tif 000003
【図１】
2007317153.tif 000004
(57)【要約】【課題】インターネットユーザーの利用目的や志向について、より的確にその効果が反映する広告手法の開発が要望されている。【解決手段】インターネット上でブラウザーあるいはその拡張機能（ツールバーやアドオン）を利用することにより、ユーザー利用目的の強弱を判定し、広告を延長表示可能にする広告手段を開発。【選択図】図１
2007317148.tif 000002
【特許請求の範囲】
【請求項１】
インターネットブラウザーあるいはインターネットブラウザーの拡張機能（ツールバー、アドオン）を利用し、ユーザーが利用する検索キーワードや閲覧ページのＵＲＬなどの情報に連動させ、その関連のある広告を閲覧ページ領域外に表示できる広告配信システムで、「ユーザーの強い利用目的がある」と判定した場合、ユーザーが利用した検索キーワードや、ユーザーが訪れた（訪れている）閲覧ページＵＲＬをトリガーとして、それらに関連性のある広告を一定時間滞留させることができる広告配信システム。
【発明の詳細な説明】
【技術分野】
【０００１】本発明はインターネットの広告配信に関するものである。
【背景技術】
【０００２】インターネット広告の分野はますますその規模が拡大している。広告のスタイルも、バナーやテキストでメッセージを伝える純広告タイプから、ユーザーが検索するキーワードに連動、ユーザー目的との連動する表示での広告が主流となっている。連動広告市場は、個々のユーザーに対し、さらにきめ細かく対応する、より効果的なインターネット広告スタイルを要望している。閲覧ページ上に表示する広告は、ユーザーが検索するキーワードにその内容が連動する「検索キーワード」広告が主流となっている。
一般にユーザーは目的意志を持ってネット検索を行うが、いろいろな検索キーワードを駆使しながら試行錯誤を繰り返す。その場合、従来の連動広告は、検索キーワードに機械的に反応し、めまぐるしくその表示を変更させる。ユーザーが検索画面から離れたり、閲覧ページが変わるたびに表示された広告もその一瞬で消えてしまう。従来のインターネット広告は、空間としては閲覧ページ領域内、時間的には一瞬のタイミング、で表示されているに過ぎないものと言える。
【発明の開示】
【発明が解決しようとする課題】
【０００３】上記連動広告がインターネット広告の主流となってきている背景には、広告スポンサーが、ネットユーザーの利用目的に沿った広告を表示させ、広告効果を高めていこうと志向しているためである。この傾向の中で、連動広告に関心の高い広告スポンサーからは、さらにユーザーのネット利用目的意志の強いか否かを「判定」し、より「広告効果の高い」広告掲載手法の開発が求められている。
【課題を解決するための手段】
【０００４】課題解決の手段として、インターネットブラウザーあるいはインターネットブラウザーの拡張機能（ツールバー、アドオン）を利用することにより、
▲１▼閲覧ページの領域外に広告表示空間を確保する。
▲２▼ユーザーの強い利用目的意志が反映する特定の検索キーワードや閲覧ページＵＲＬを事前に広告サーバーに設定しておく。
▲３▼その特定検索キーワードでユーザーが検索する、または閲覧ページＵＲＬをトリガーとして広告の表示とユーザー目的意志の強弱をサーバー側で「判定」する。
▲４▼ブラウザーあるいはブラウザーの拡張機能上の広告表示時間を利用目的意志の強弱に合わせて設定し、ユーザーの目的意志が強い場合は、ユーザーが新たな検索やリンクにより別ページに表示を切り替えたとしても、ブラウザー上またはツールバーなどの拡張機能上に３０秒から５分間の範囲内の一定時間、広告表示を滞留させ、「効果の高い」広告表示を実現する。
例としては、広告スポンサーが保険会社の場合、
▲１▼「自動車保険」と「火災保険」を利用目的の強い検索上のキーワード、
▲２▼競合他社である「保険商品比較サイト」のＵＲＬを利用目的の強いＵＲＬと予め設定し、
▲３▼ユーザーが、上記キーワードで検索をする、あるいは上記競合サイトを閲覧した場合、
▲４▼ブラウザーあるいはブラウザーの拡張機能上に広告を表示し、
▲５▼一度このトリガーにより表示させた広告は以降、別のキーワードであらたな検索をおこなうか、あるいは設定された別の広告に結びついているサイトを閲覧しない限り、上記広告を２分間滞留させることとし、
▲６▼広告のクリック率をより高くするもの。
【発明の効果】
【０００５】本発明が最も顕著に現れる事象は、表示広告が滞留することで、広告クリック率が上昇することである。ある時点でのユーザーのネット利用目的意志が強い場合、一時的に検索キーワードや閲覧ページがその目的意志から離れていたとしても、一定の関心はしばらく残っており、表示広告のクリック志向も残っているためである。
本発明は、検索キーワード関連広告市場が急拡大しており、同分野の延長上での次世代タイプ広告として期待されるものである。
【発明を実施するための最良の形態】
【０００６】ユーザーが検索キーワードを入力または特定のサイトにアクセスした瞬間に、検索キーワードと検索サイトの情報を、広告配信サーバーに転送する。サーバー側では、検索キーワードと閲覧サイトに関連性の深い広告を検索し、ブラウザーの広告スペースに送る。次のトリガーとなる検索またはサイト閲覧がおこなわれるまで、その広告は一定時間広告スペースに滞留し続ける。
【図面の簡単な説明】
【０００７】
【図１】発明の実施形態を図で示す。▲１▼はインターネットブラウザーである。▲２▼はブラウザー上に設けた広告表示スペース出る。このスペースはブラウザーの拡張機能（ツールバーやアドオン）でもよい。▲３▼はインターネット網である。
【図１】
2007317148.tif 000003
(57)【要約】【課題】大容量のデータを簡単かつ安全にネットワークを通じて送信する。【解決手段】送信したいデータをフォルダにドラッグアンドドロップするだけで、サーバー側でデータの圧縮およびダウンロード用の暗号化されたＵＲＬを作成する。そのＵＲＬを埋め込んだメール文章の作成、件名および送信先の自動入力を行い、メール送信を自動で行う。受け手は、メール内のＵＲＬをクリックして送られたデータを安全になおかつ圧縮された状態でダウンロードすることができる。【選択図】図１
2007317141.tif 000002
【特許請求の範囲】
【請求項１】
ネットワーク上で利用可能なストレージシステム
【請求項２】
特定のフォルダにドラッグアンドドロップするだけで、ダウンロード用の暗号化されたＵＲＬを記載したメールを送信するシステム
【請求項３】
送信宛先や送信時の文章やダウンロード期限等の設定は、フォルダ内のテキスト情報を基に生成して送信するシステム
【発明の詳細な説明】
【技術分野】
【０００１】
本発明は、ネットワーク上でのストレージを利用して簡単にデータを共有あるいは送信するものに関するものである。
【従来の技術】
【０００２】
従来の技術では、メール送信の機能に関しては、あらかじめ登録するなどの、いくつかの手順を必要としていた。
【発明の開示】
【発明が解決しようとする課題】
【０００３】
この送信時の作業と手順は、複数の工程を経る必要があり、それが大きな手間となっていた。
【課題を解決するための手段】
【０００４】
該当フォルダ内には、あらかじめ送信先の情報や文章の雛形などが記述された設定ファイルが存在する。
【０００５】
データを送りたいときは、該当フォルダへ送りたいデータもしくはフォルダをドラッグアンドドロップするだけで、データの圧縮、メール文章の記載、送信先を決めて自動的に送信することができるようにすることを特徴とする
【発明の効果】
【０００６】
このフォルダへドラッグアンドドロップするという単純な作業により、利用者は複雑な工程を経る必要がなくなる。
【０００７】
またデータは圧縮され、通信時はセキュリティをかけることができるため、安全に大容量のデータをおくることができる。
【発明を実施するための最良の形態】
【０００８】
ネットワーク上にサーバーを設置。サーバー内のフォルダには、送信先や文章など情報をあらかじめ記録しておく。
【実施例】
【０００９】
ユーザーは、ネットワーク上のサーバーに接続して、該当フォルダに、送信したいデータもしくはフォルダをドラッグアンドドロップする。
【００１０】
ドラッグアンドドロップされた時点で、データは圧縮され、ＵＲＬが生成され、メールが送信される。
【００１１】
送信された情報や、受信された情報はログを閲覧することによって把握することが可能
【産業上の利用可能性】
【００１２】
データの送信を多くの頻度で行う業界において、安全になおかつ簡単に送信することにより、利用者の負担を軽減することが可能
【図面の簡単な説明】
【００１３】
【図１】利用者のフローを示したものである。
【図１】
2007317141.tif 000003
(57)【要約】【課題】  本発明は、貸し出されたウェブページ上に貸し出しウェブページ紹介者が指定した広告を掲載することにより、貸し出しウェブページ利用者獲得に従来要していた金銭的費用を削減することを課題とする。【解決手段】  コンピュータに、貸し出されたウェブページの紹介者情報を記憶装置に記録する手順と、貸し出されたウェブページの紹介者情報を記憶装置から取得する手順と、貸し出されたウェブページ上に紹介者情報に基づいた広告を掲載する手順とを備えて構成される。【特許請求の範囲】
【請求項１】
コンピュータに、貸し出されたウェブページの紹介者情報を記憶装置に記録する手順と、貸し出されたウェブページの紹介者情報を記憶装置から取得する手順と、貸し出されたウェブページ上に紹介者情報に基づいた広告を掲載する手順を実行させるためのプログラム。
【発明の詳細な説明】
【技術分野】
【０００１】  本発明は、貸し出しウェブページの利用者獲得の方法に関する。
【背景技術】
【０００２】  インターネット上には無料で利用できるブログ、掲示板、リンク集などの貸し出しウェブページがある。貸し出しウェブページ運営者は貸し出されたウェブページに広告を掲載することで広告収入を得る。貸し出しウェブページ運営者は広告媒体に貸し出しウェブページの広告を掲載するなどして貸し出しウェブページの利用者獲得をはかる。
【発明の開示】
【発明が解決しようとする課題】
【０００３】  本発明は、貸し出されたウェブページ上に貸し出しウェブページ紹介者が指定した広告を掲載することにより、貸し出しウェブページ利用者獲得に従来要していた金銭的費用を削減することを課題とする。
【課題を解決するための手段】
【０００４】  この課題を解決するために請求項１の発明は、貸し出しウェブページ紹介者情報を含んだ紹介リンクを用意し、紹介リンクをクリックして新たにウェブページが貸し出された際に紹介者情報を記憶装置に格納し、貸し出されたウェブページを生成する際には紹介者情報を記憶装置から取得し、貸し出されたウェブページに紹介者情報に基づいた広告を掲載する。
【発明の効果】
【０００５】  本発明により、貸し出しウェブページ紹介者は広告収入のかわりに貸し出されたウェブページ上の広告枠を得ることになる。ウェブページ上の広告はその直接的な宣伝効果のみならず検索エンジンでの順位の向上の効果も期待できるためインターネット上のウェブサイトを運営している紹介者にとっては大きなメリットになりうる。貸し出しウェブページ運営者は貸し出しウェブページ紹介者への対価として新たに貸し出されたウェブページ内の広告枠を提供すればよく、既存の広告枠を消費しない。貸し出しウェブページ運営者が貸し出しウェブページ紹介者に広告費用を支払い、貸し出しウェブページ紹介者が貸し出されたウェブページの広告枠を買い取ることでも同じ結果を得られるが、本発明ではそれら金銭的やり取りが発生しないため金銭的やり取りに要するコストも削減できる。金銭的やり取りが発生しないため個人のウェブサイト運営者なども容易に貸し出しウェブページ紹介によるメリットを得られる。
【発明を実施するための最良の形態】
【０００６】  貸し出しウェブページ紹介者情報を含んだ紹介リンクを用意し、紹介リンクをクリックして新たにウェブページが貸し出された際に紹介者情報を記憶装置に格納し、貸し出されたウェブページを生成する際には紹介者情報を記憶装置から取得し、貸し出されたウェブページに紹介者情報に基づいた広告を掲載する。
(57)【要約】【課題】本発明は接続作業が容易で手間がかからないブレーカ１の端子部構造を提供することを目的としている。【解決手段】本発明に係るブレーカ１の端子部構造は、端子部３には電線挿通孔４が設けられ、電線挿通孔４の上方に圧接刃５を設け、さらに圧接刃５の上方には圧接ハンドル６によって動作する圧接体７が設けられ、圧接ハンドル６の動作に連動して圧接体７が圧接刃５をケーブル２に圧接させ、ケーブル２に圧接刃５が接することで電気的に接続されることを特徴とする。【選択図】図１
2007317513.tif 000002
【特許請求の範囲】
【請求項１】
分電盤等に組み込まれ電気回路を遮断するブレーカの、ケーブルを接続するための端子部構造であって、該端子部には電線挿通孔が設けられ、該電線挿通孔の上方に圧接刃を設け、さらに圧接刃の上方には圧接ハンドルによって動作する圧接体が設けられ、前記圧接ハンドルの動作に連動して前記圧接体が前記圧接刃を前記ケーブルに圧接させ、該ケーブルに前記圧接刃が接することで電気的に接続されることを特徴とするブレーカの端子部構造。
【発明の詳細な説明】
【技術分野】
【０００１】
本発明は、分電盤等に組み込まれ電気回路を遮断するブレーカの、ケーブルを接続するための端子部構造に関するものである。
【背景技術】
【０００２】
従来は、ブレーカ３１の端子部３２は、電線挿通孔３３が設けられ、端子部３２の上面部からは端子ねじ３４が挿通可能となっていた。電線３５は感電等の事故を防ぐため絶縁体で被覆されている。従来のブレーカ３１に電線３５を接続する際には、電線３５の先端の被覆３６を剥き、金属部分を露出させ、その部分を電線挿通孔３３に差し込み、上面から端子ねじ３４を締め付け電気的に接続していた。
【非特許文献１】２００５カワムラ総合カタログ電設資材編  平成１７年５月１日発行
【発明の開示】
【発明が解決しようとする課題】
【０００３】
しかしながら上記従来技術によれば、電線を接続するには被覆を剥く必要があり、その作業が面倒で時間が掛かっていた。また、剥いた被覆が廃棄物になるという欠点があった。
【課題を解決するための手段】
【０００４】
そこで本発明は、接続作業が容易で手間がかからないブレーカの端子部構造を提供することを目的とし、その構造は、端子部には電線挿通孔が設けられ、電線挿通孔の上方に圧接刃を設け、さらに圧接刃の上方には圧接ハンドルによって動作する圧接体が設けられ、圧接ハンドルの動作に連動して圧接体が圧接刃をケーブルに圧接させ、ケーブルに圧接刃が接することで電気的に接続されることを特徴とする。
【発明の効果】
【０００５】
本発明に係るブレーカの端子部構造は、端子部には電線挿通孔が設けられ、電線挿通孔の上方に圧接刃を設け、さらに圧接刃の上方には圧接ハンドルによって動作する圧接体が設けられ、圧接ハンドルの動作に連動して圧接体が圧接刃をケーブルに圧接させ、ケーブルに圧接刃が接することで電気的に接続されるため、電線の被覆を剥くことなくブレーカへの接続が可能なので、道具も不要で接続作業が容易であり、廃棄物も排出されない。作業が簡素化され、作業時間の短縮を図ることができる。
【発明を実施するための最良の形態】
【０００６】
本発明に係るブレーカの端子部構造の実施例を図１〜図２の添付図面に基づいて説明する。
【０００７】
ブレーカ１は分電盤に組み込まれ、電気回路の接続、遮断をする。ケーブル２を接続するのはブレーカ２の端子部３である。端子部３には電線挿通孔４が設けられる。ケーブル２は電線挿通孔４に差し込んで接続される。
【０００８】
電線挿通孔４の奥の上部には圧接刃５が設けられている。圧接刃５は導電体であり、先端は鋭利な形状とする。ブレーカ１のケース１ａ上部に露出する圧接ハンドル６が設けられ、圧接刃５の上部には、圧接ハンドル６に連動する押圧体７と、通常は圧接ハンドル６を上方へ付勢するばね８とが設けられる。
【０００９】
ケーブル２をブレーカ１に接続するには、電線挿通孔４にケーブル２を差し込む。このとき、圧接ハンドル６は内部に設けられたばね８により斜め上方へ上がっている状態である。ケーブル２を差し込んでから、圧接ハンドル６を下げケーブル２を固定する。圧接ハンドル６を下げることにより、押圧体７が下方へ押され、押圧体７の移動により圧接刃５が下方へ下りる。圧接刃５は先端が鋭利なので、ケーブル２の被覆を破断し内部の金属線に接し、ケーブル２とブレーカ１は電気的に接続される。
【００１０】
用いられるケーブル２は、図２に示すＶＶＦケーブルの二心に限定されるものではなく、圧接刃を増設することで三心のケーブルに適用できる。
【００１１】
ケーブル２は被覆を剥く必要なく、ブレーカ１に入線でき作業性が大変良く、作業時間の短縮を図ることができる。また、被覆を剥いたときのケーブルの被覆がないので廃棄物が発生しない。
【産業上の利用可能性】
【００１２】
入線ケーブルの種類を限定せず、ケーブルの被覆を剥かなくてもブレーカへの接続が可能であるため、作業がしやすく、作業時間の短縮を図ることができる。
【図面の簡単な説明】
【００１３】
【図１】本発明に係るブレーカの端子部構造の実施例を示す説明図である。
【図２】図１におけるブレーカの端子部の拡大断面図である。
【図３】従来のブレーカの端子部に接続する電線を示す説明図である。
【図４】従来のブレーカの端子部構造を示す説明図である。
【符号の説明】
【００１４】
１    ブレーカ
２    ケーブル
３    端子部
４    電線挿通孔
５    圧接刃
６    圧接ハンドル
７    圧接体
８    ばね
【図１】
2007317513.tif 000003
【図２】
2007317513.tif 000004
【図３】
2007317513.tif 000005
【図４】
2007317513.tif 000006
(57)【要約】      （修正有）【課題】小型電子機器などの操作性をなるべく損ねることなく保護するケースを提供する。【解決手段】伸縮のできる伸縮部と、前記伸縮部に接続し、双方を開口とした先端部と、開口部を必ずしも備えない末端部との、少なくとも二つの端部を備えた、使用しないときにはサイズを最小にすることのできることを特徴とする、端部と伸縮自在の伸縮部から構成する保護ケース。また、前記伸縮部が伸縮方向以外の方向に伸縮しないように保護材を挿入する。【選択図】  図１
2007317789.tif 000002
【特許請求の範囲】
【請求項１】
伸縮のできる伸縮部と、前記伸縮部に接続し、双方を開口とした先端部と、開口部を必ずしも備えない末端部との、少なくとも二つの端部を備えた、使用しないときにはサイズを最小にすることのできることを特徴とする保護ケース。
【請求項２】
前記伸縮部が蛇腹であることを特徴とする請求項１に記載の保護ケース。
【請求項３】
前記伸縮部が伸縮方向以外の方向に伸縮しないように保護材を挿入したことを特徴とする請求項１および２に記載の保護ケース。
【請求項４】
前記端部に、前記伸縮部が格納されることを特徴とする請求項１から３に記載の保護ケース。
【請求項５】
前記の二つの保護部が前記伸縮部が収縮した状態で結合できるように、二つの端部の一方または双方に結合部を備えたことを特徴とする請求項１から４に記載の保護ケース。
【請求項６】
前記末端部が先端部に、または先端部が末端部に、収納されることを特徴とする請求項１から５に記載の保護ケース。
【請求項７】
前記端部の少なくとも一方に、保護すべき内容物のストラップに接続すべきストラップ接続部を備えたことを特徴とする請求項１から６に記載の保護ケース。
【発明の詳細な説明】
【技術分野】
【０００１】
本発明は、電子機器などを保護するための保護ケースに関する。
【背景技術】
【０００２】
従来の保護ケースは、袋型、ブックカバー型などがあった。
【発明の開示】
【発明が解決しようとする課題】
【０００３】
従来の保護ケースは、袋型、ブックカバー型のいずれも、使用しないときには場所をとるものであり、また電子機器の場合は、操作をするのにじゃまになったり、電子機器を使える状態にするまでにいくつもの動作が必要となるものが多い、という問題点があった。
【０００４】
本発明は、かさばらず、操作の邪魔にならない保護ケースを提供することを目的としている。
【課題を解決するための手段】
【０００５】
上記目的を達成するために、本発明の保護ケースにおいては、先端部と、末端部に伸縮自在の素材で連結することによって、内容物を保護する。更に、先端部は両端が開口しており、伸縮部を収縮させこの開口部を通して、内容物を取り出すことができるように構成されている。
【０００６】
前記伸縮部は、保護ケースの大きさによって蛇腹構造を採用するとよい。
【０００７】
前記伸縮部には、上面からの圧力を受けて内容物が損傷しないように保護材を挿入してもよい。
【０００８】
前記二つの端部の一方または双方に伸縮部の収縮時に伸縮部が収納されるようにすることもできる。
【０００９】
前記二つの端部の一方または双方に、伸縮部の収縮時に、二つの保護部が結合できるよう、接続部を設けることもできる。
【００１０】
前記二つの端部の一方が、もう一方の内部に収納されるようにしてもよい。
【００１１】
前記二つの端部の一方または双方に、内容物の本体に接続されたストラップに、本保護ケースを接続できるようにストラップ接続部を設けることで、内容物との分離を防ぐこともできる。
【発明の実施の形態】
【００１２】
図１は伸縮部として蛇腹を備えた本発明の実施例の一つである。先端部は二つの開口部を備えているが、この例では末端部は開口部を持たない。
【００１３】
図２は伸縮部を収縮させて内容物を露出した例である。
【００１４】
図３は伸縮部を収縮させ、結合部で結合させた例である。図３では結合部を上面と下面に設置することを想定してあるが、もちろん、側面でもよく、結合部の形態も様々に考えることができる。この例では伸縮部は収納させていない。
【００１５】
図４は伸縮部を収縮させ、端部に収納し、且つ先端部に末端部を収納した例である。
【００１６】
図５はストラップ接続部を備えた本発明の実施の形態の一つである。図の実施形態ではストラップ接続部は図7の様に末端部に穴を開ける形で設けられていることを想定した図である。伸縮部を収縮し、本体内に納めた形態である。内容物を操作するときにはこの形態で行うことを想定している。またストラップ接続部は図６の実施形態の様に本体の外部に設置しても良い。
【００１７】
図８には伸縮部を端部に収納する形態での、接続方法を示した。
【００１８】
保護材の設置は図示していないが、伸縮部の伸縮方向と垂直な方向に、たとえば端部と相似形のプラスチックや針金を適切な数設置するなどの方法が考えられ、伸縮部の強度が不足が考えられる場合には、実施すると良い。
【００１９】
端部はある程度の幅を持たせることができるので、内容物の付属品などの収納部を設けることもできる。
【図面の簡単な説明】
【００２０】
【図１】本発明の実施形態の一例である。ストラップ接続部は図示していない。
【図２】本発明の実施形態の一例である。保護すべき内容物がどのように収納、取り出しできるかを示している。
【図３】伸縮部を収縮し、結合部で先端部と末端部を接続した例を示す。
【図４】末端部を先端部に収納した例を示している。
【図５】第一の端部を第二の端部に収納し、ストラップ接続部で内容物に接続されたストラップに接続した場合の例を示している。ストラップ接続部は図には表示していない。
【図６】第一の端部を第二の端部に収納し、ストラップ接続部で内容物に接続されたストラップに接続した場合の例を示している。ストラップ接続部の一例を図示してある。
【図７】ストラップ接続部の例である。
【図８】伸縮部を端部に収納する場合の接続例である。
【図１】
2007317789.tif 000003
【図２】
2007317789.tif 000004
【図３】
2007317789.tif 000005
【図４】
2007317789.tif 000006
【図５】
2007317789.tif 000007
【図６】
2007317789.tif 000008
【図７】
2007317789.tif 000009
【図８】
2007317789.tif 000010
(57)【要約】【課題】  水廻りで使用する水自体に安全な物を含ませて、水廻りの付着物を軽減させる。【解決手段】  水廻り商品に乳酸菌を配し、使用する水自体に乳酸菌を含ませて、水廻りの付着物を軽減する。【特許請求の範囲】
【請求項１】
付着物を軽減または除去し易くするために、乳酸菌を加えた水廻り商品。
【発明の詳細な説明】
【技術分野】
【０００１】  水廻り商品に乳酸菌を配合することにより、水廻りの付着物を軽減する。
【背景技術】
【０００２】  水廻りの付着物は、洗浄またはコーティング等によって、除去・軽減されている。
【発明が解決しようとする課題】
【０００３】  水廻りで使用する水自体に安全な物を含ませて、水廻りの付着物を軽減させる。
【課題を解決するための手段】
【０００４】  水廻り商品に乳酸菌を配合し、使用する水自体に乳酸菌を含ませて、水廻りの付着物を軽減または除去し易くする。
【発明の効果】
【０００５】  台所洗剤等に乳酸菌を配合すると、洗い水に乳酸菌が混ざり、シンクや排水口などの付着物が軽減され、付着物も容易に除去できる。また、抑臭効果も認められる。
【発明を実施するための最良の形態】
【０００６】  石鹸・洗剤・入浴剤等に乳酸菌を配合して、炊事場・風呂・トイレ等の水廻りの付着物を軽減または除去し易くする。歯磨材・ガム等に乳酸菌を配合して口内の付着物を軽減または除去し易くする。
(57)【要約】      （修正有）【課題】足の指立てを手軽に簡単に行うことが出来ることによって、全身の血流が良くし健康により良い効果をもたらすことが可能となる健康器具の提供。【解決手段】靴やサンダルを履くのと同様に、両足を本発明本体にのせるだけで、足指を抑え３により折り曲げられることによって足指立てと同様の効果を得ることが出来、ハイヒール型の形状であり、横とかかと部分を前方に押すようなゴム状のべルトでの固定により負荷を高め、より効果的となる。【選択図】図２
2007260313.tif 000002
【特許請求の範囲】
【請求項１】
足の指５本を同時に直角に曲げる事を特徴とするハイヒール型健康器具。
【請求項２】
２個一対とするサンダル状を特徴とする請求項１のハイヒール型健康器具。
【請求項３】
図２の様に、かかと部分が高くなるハイヒール型を特徴とする請求項１又は２記載の健康器具。
【請求項４】
図２の１の様に、足指が当たる部分が８０度から９０度の角度の抑えが付いている事を特徴とする請求項１、２又は３記載のハイヒール型健康器具。
【請求項５】
足をのせる部分には固定式の鼻緒およびベルトは装着しない事を特徴とするる請求項１、２、３、４又は５記載のハイヒール型健康器具。
【請求項６】
鼻緒およびベルトは固定せず、足をのせた後にフリーのベルトにて横とかかと部分を前方に押すようにゴム状のべルトにて固定する事を特徴とする請求項１、２、３、４又は５記載のハイヒール型健康器具。
【請求項７】
足指が直角に曲がる部分は堅固にしてなめらかな板状の製品である事を特徴とする正面挟持部に前方折り返しのハンガー部を設けたことを特徴とする請求項１、２、３、４、５又は６記載のハイヒール型健康器具。
【発明の詳細な説明】
【技術分野】
【０００１】
本発明は、ハイヒール状の履物に足指立てを設けた、健康器具に関する。
【背景技術】
【０００２】
足裏のツボ刺激を目的とした突起部を設けた健康サンダルは普及しているが、足の指立てによる健康装置は皆無である。
【特許文献１】特開平１０−１０８７０１
【発明の開示】
【発明が解決しようとする課題】
【０００３】
足裏のツボ刺激による健康法は一般的なものとなっているが、足の指立てを行うことによって全身の血流がよくなり健康にはより良い効果をもたらすことは余り知られていない。従って、足の指立てを手軽に簡単に行うことが出来、また効果が上がりやすい健康器具を提供することによって、健康促進の一助たらん事が本発明の課題である。
【課題を解決するための手段】
【０００４】
前足の指立てをより効果的に行うために、本発明はハイヒール型の形状を採用し、足指が当たる抑えにより足指が直角に近い状態へ曲がるようにしているため、重心が曲げている足指にかかるため、より負荷を高めることが出来、効果的である。
【発明の効果】
【０００５】
本発明は、両足を本発明本体にのせ、足指を図２の３の抑えにより折り曲げられることによって足指立てと同様の効果を得ることが出来、ハイヒール型の形状であるので足指への負荷が高まる上、横とかかと部分を前方に押すようなゴム状のべルトで固定されるので、より効果的となる。足の指立てを簡単に行うことが出来るので、足の指立てによる全身の血流がよくなることによって健康により良い効果をもたらすことが出来るため、健康器具としても極めて有効である。
【発明を実施するための最良の形態】
【０００６】
請求項１によれば、本足の指５本を同時に直角に曲げる事を特徴とし、全体にまんべんなく負荷を高めて効果を得やすくするものである。
【０００７】
請求項２によれば、２個一対とするサンダル状を特徴とする。
【０００８】
請求項３によれば、図１の様に、かかと部分が高くなるハイヒール型を特徴とする請求項１又は２記載の健康器具。
【０００９】
請求項４によれば、図２の１の様に、足指が当たる抑え部分に対して８０度から９０度の角度の抑えが付いている事を特徴とする。
【００１０】
請求項５によれば、足をのせる部分には固定式の鼻緒およびベルトは装着しない事を特徴とする。
【００１１】
請求項６によれば、鼻緒およびベルトは固定せず、足をのせた後にフリーのベルトにて横とかかと部分を前方に押すようにゴム状のべルトにて固定する事を特徴とする事を以って、より負荷を高め、さらに装着時の身体の安定を図るものである。
【００１２】
請求項７によれば、足指が直角に曲がる部分は体重分の負荷がかかり破損しやすいため、堅固にしてなめらかな板状の製品である事を特徴とする。
【図面の簡単な説明】
【００１３】
【図１】この発明の一実施形態を示すハイヒール型健康器具の斜視図である。
【図２】この発明の本体を示すハイヒール型健康器具の側面図である。
【図３】この発明の本体を示すハイヒール型健康器具の上面図である。
【図４】この発明の本体を示すハイヒール型健康器具を示す底面図である。
【符号の説明】
【００１４】
１    角度
２    空間部
３    抑え
４    クッション部
【図１】
2007260313.tif 000003
【図２】
2007260313.tif 000004
【図３】
2007260313.tif 000005
【図４】
2007260313.tif 000006
(57)【要約】【課題】トイレットペーパーの交換から切取りまで、片手で簡単、迅速に一連の操作ができるトイレットペーパーホルダーを提供する。【解決手段】一連の操作を簡単、迅速に出来るように本体を上下に割った横筒型の容器とし、出口に引き出しテーブルと引き出しストッパーをつけ、ペーパーを引き出し角度により制御しながら片手でカットする。【選択図】図１
2007260369.tif 000002
【特許請求の範囲】
【請求項１】
切り歯を付けた引き出しテーブルと、引き出しストッパーを付けた蓋を組み合わせた横筒型容器式で一連の操作が片手で出来ることを特徴とするトイレットペーパーホルダー。
【請求項２】
ペーパーを水平に引けば締まり、上方に引けば取り出せる、引く角度による制御を特徴とする請求項１記載の引き出しストッパー装置。
【請求項３】
必要な長さ引き出したペーパーをストッパーを効かせたまま、下に押し下げて切取り、切り端を残して次の引き出しがすぐ出来るように、片手操作で切り端を残す事を特徴とする、請求項１記載の切り歯付き引き出しテーブル。
【発明の詳細な説明】
【技術分野】
【０００１】本発明はトイレットペーパーホルダーに関するものである。
【背景技術】
【０００２】従来の一般的なものでは、ペーパロールの交換、引き出し、切断など連続操作では必ず両手を必要とし、何らかの事情で片手が塞がっている状況にある人にとっては不便である。
【発明の開示】
【発明が解決しようとする課題】
【０００３】ペーパーロールの交換からペーパーの引き出し、切断、次の引き出しなど一連の操作を簡単迅速に片手で行えるトイレットペーパーホルダーの提供
【課題を解決するための手段】
【０００４】本体を横筒型容器として、ペーパーロール自体を中で転がしながらペーパーを引き出す方法とした。
筒は上下半分に割れており下半分は受け皿として固定し、上半分は蓋として、ペーパーを引き出す隙間を残し、閉めると同時にロックする様にした。
受け皿の出口に切り歯を付けたテーブルを取り付け、蓋の先には引き出しストッパーを取り付けた。
【発明の効果】
【０００５】ペーパロールの交換では芯穴の大小やロールの巻き取りの向きに関係なく簡単迅速に出来る。又引き出したペーパーを、そのまま片手で千切ってカットする事が出来、同時に切れ端が残るので次の引き出しも楽であり、特に片手しか使えない人にも不便を与えない。
【発明を実施するための最良の形態】
【０００６】本発明のホルダーは横円筒型の容器で上下半分に割っており、下はペーパーロールの受け皿として側板と一体となし壁面に固定する。上は蓋としてスライド式開閉とし、少し隙間を開けた状態でロック固定すれば、その隙間からロールの巻方向に関係なくペーパーを引き出す事が出来る。そして受け皿の出口に切り歯を付けたテーブルをくっつけ固定することと、さらに蓋に引き出しストッパーを付けることで、引き出すペーパーを制御し、下に引き下げ千切ることが出来る。テーブル上には次回の引き出しに必要な摘み部分が切断作業と同時に確保出来る。テーブル上面とストッパーには摩擦抵抗をつけるためゴムを張りつけている。
【実施例】
【０００７】本発明の実施例を図面を用いて説明する。
まずペーパーロールの交換では、蓋のロック（図−１）の（１）を外して開ける。（図−２）【０００８】中に残っている芯を取り出し、新しいペーパーロールと入れ替える。【０００９】中で転がして切り口を見つけて引き出しテーブルの前に垂らす。【００１０】蓋を閉めてロックする。（図−１）【００１１】垂れているペーパーを持ち上げ、上方に必要量引き出したら水平に引いてストッパーを働かせ、（図−５）切り歯に押し下げて切り取る。【００１２】テーブル上に切れ端が残っているので、これを摘み、引き出し切取り、必要回数繰り返す。
【産業上の利用可能性】
【図面の簡単な説明】
【００１３】
【図１】トイレットペーパーホルダーを左上から見た全体図である。
【図２】蓋を開けた状態のトイレットペーパーホルダー。
【図３】トイレットペーパーホルダーの蓋を左上から見た図である。
【図４】トイレットペーパーホルダーの蓋と左側板を取り除いて左から見た図である。
【図５】ペーパーを引いた時の断面図。
【符号の説明】
【００１４】１  蓋ロック装置
２  引き出しストッパー
３  引き出しテーブル
４  案内レール
５  滑りレール
６  掃除穴
【図１】
2007260369.tif 000003
【図２】
2007260369.tif 000004
【図３】
2007260369.tif 000005
【図４】
2007260369.tif 000006
【図５】
2007260369.tif 000007
(57)【要約】      （修正有）【課題】離れたところにいる一人暮らしの老人（親族）の生活反応を確認する。【解決手段】寝起きセンサと生命（体温、心拍）センサの連動で生活反応を情報化する。具体的には、寝床の頭部近くに赤外線センサ（寝起きセンサ１）を置き、枕の下部に小枕に組み込んだ、体温センサと心拍センサおよび体重スイッチ（寝起きセンサ２）を配置し、一時処理装置に接続する。各センサは、一時処理装置からパソコンやＬＡＮおよびインターネットサーバなどに接続し情報処理する。【選択図】図１
2007260365.tif 000002
【特許請求の範囲】
【請求項１】
本発明は、寝起きセンサと生命（体温、心拍）センサの連動で情報化する。
【請求項２】
寝床の頭部近くに赤外線センサ（寝起きセンサ１）を置き、枕の下部に小枕に組み込んだ、体温センサと心拍センサおよび体重スイッチ（寝起きセンサ２）を配置し、一時処理装置に接続する。
【発明の詳細な説明】
【発明の詳細な説明】
【技術分野】
【０００１】  情報技術を利用するための情報を検出するシステムです。
【背景技術】
【０００２】  生活反応だけを検出する。
【発明実施の形態】
【０００３】  本発明における各センサは、一時処理装置からパソコンやＬＡＮおよびインターネットサーバなどに接続し情報処理します。
【発明の効果】
【０００４】  一人暮らしの老人、単身者、病人の生命状態を捉えることができ最善の処置を可能にする。
【図１】
2007260365.tif 000003
【図２】
2007260365.tif 000004
【手続補正書】
【提出日】平成18年5月29日(2006.5.29)
【手続補正１】
【補正対象書類名】明細書
【補正対象項目名】全文
【補正方法】変更
【補正の内容】
【発明の詳細な説明】
【技術分野】
【０００１】  情報技術を利用するための情報を検出するシステムです。
【背景技術】
【０００２】  生活反応だけを検出する。
【発明実施の形態】
【０００３】  本発明における各センサは、一時処理装置からパソコンやＬＡＮおよびインターネットサーバなどに接続し情報処理します。
【発明の効果】
【０００４】  一人暮らしの老人、単身者、病人の生命状態を捉えることができ最善の処置を可能にする。
【図面の簡単な説明】
【０００５】
【図１】  本発明におけるセンサをベッドに設置した例の側面図である。
【図２】  図１にある小枕の構造を示した上面図である。
【符号の説明】
【０００６】  １    赤外線センサ
２    枕
３    小枕
４    ベッド
５    赤外線センサー一時処理装置接続ケーブル
６    小枕内センサー一時処理装置接続ケーブル
７    一時処理装置
８    パソコン、ＬＡＮ、インターネット接続ケーブル
９    アルミ板（裏側に温度センサ）
１０    体重スイッチ
１１    マイクロホン
【手続補正２】
【補正対象書類名】図面
【補正対象項目名】全図
【補正方法】変更
【補正の内容】
【図１】
2007260365.tif 000005
【図２】
2007260365.tif 000006